【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
少なくとも１つの窓を制御するための方法であって、
ａ．太陽位置を決定することと、
ｂ．少なくとも１つのセンサーから雲量の示度を受信することと、
ｃ．（ｉ）決定された前記太陽位置、および（ｉｉ）受信された前記雲量の示度に少なくとも部分的に基づいて前記少なくとも１つの窓の色合いを制御することと、を含む、方法。
【請求項２】
前記雲量の示度が気象観測所によって提供される、請求項１に記載の方法。
【請求項３】
前記太陽位置を決定することが、太陽放射照度を測定するように構成された光センサーを含む前記少なくとも１つのセンサーにおいて受け取られる最大量の放射照度からの減少を障害物が引き起こすと判定することを含む、請求項１または請求項２に記載の方法。
【請求項４】
前記色合いを制御することが、前記少なくとも１つのセンサーにおける前記最大量の放射照度からの減少を前記障害物が引き起こしている間に実行される、請求項３に記載の方法。
【請求項５】
前記色合いを制御することが、前記少なくとも１つの窓の色合いレベルを変えることを含む、請求項１に記載の方法。
【請求項６】
前記少なくとも１つのセンサーが、光センサー、赤外線センサー、温度センサー、および／または湿度センサーを含む、請求項１に記載の方法。
【請求項７】
窓用日よけ、窓用カーテン、または窓用ブラインドの位置を制御することをさらに含む、請求項１〜６のいずれか一項に記載の方法。
【請求項８】
前記太陽位置を決定することが、少なくとも部分的に太陽位置計算機を用いて実行される、請求項１〜７のいずれか一項に記載の方法。
【請求項９】
前記太陽位置計算機が、太陽高度値および／または太陽方位値に関連付けられる少なくとも１つの時間エントリを格納するルックアップテーブルを含む、請求項８に記載の方法。
【請求項１０】
前記少なくとも１つの窓において受け取られる太陽放射照度の量を推定することをさらに含む、請求項１〜９のいずれか一項に記載の方法。
【請求項１１】
前記少なくとも１つの窓の色合いを制御することが、前記少なくとも１つの窓において受け取られる太陽放射照度の前記推定された量に応じる、請求項１０に記載の方法。
【請求項１２】
雲量を示す読み取り値を生成するように構成された少なくとも１つの検出器と動作可能に結合された少なくとも１つのコントローラであって、少なくとも１つのコントローラは、（ａ）太陽位置および（ｂ）前記少なくとも１つの検出器の１または複数の読み取り値に少なくとも部分的に基づいて前記少なくとも１つの窓を制御するかまたは制御を導くように構成され、１または複数の読み取り値は雲量の示度である、少なくとも１つのコントローラを備える、少なくとも１つの窓を制御するための装置。
【請求項１３】
前記雲量を示す読み取り値は気象観測所によって提供される、請求項１２に記載の装置。
【請求項１４】
前記少なくとも１つの検出器は、太陽放射照度を測定するように構成された光センサーを含む、請求項１２または１３に記載の装置。
【請求項１５】
前記少なくとも１つの窓の制御は、前記少なくとも１つの検出器における最大量の放射照度からの減少を障害物が引き起こしている間に窓の色合いを制御することを含む、請求項１２から１４のいずれか一項に記載の装置。
【請求項１６】
前記窓の色合いを制御することは、前記少なくとも１つの窓の色合いレベルを変えることを含む、請求項１５に記載の装置。
【請求項１７】
前記少なくとも１つの検出器は、光センサー、赤外線センサー、温度センサー、および／または湿度センサーを含む、請求項１２から１６のいずれか一項に記載の装置。
【請求項１８】
前記少なくとも１つの制御装置は、窓用日よけ、窓用カーテン、または窓用ブラインドの位置を制御するように構成される、請求項１２から１７のいずれか一項に記載の装置。
【請求項１９】
前記太陽位置は、少なくとも部分的に太陽位置計算機を用いて決定される、請求項１２から１８のいずれか一項に記載の装置。
【請求項２０】
前記太陽位置計算機は、太陽高度値および／または太陽方位値に関連付けられる少なくとも１つの時間エントリを格納するルックアップテーブルを利用する、請求項１９に記載の装置。
【請求項２１】
前記少なくとも１つの制御装置は、前記少なくとも１つの窓において受け取られる太陽放射照度の量を推定するように構成される、請求項１２から２０のいずれか一項に記載の装置。
【請求項２２】
前記少なくとも１つの制御装置は、前記少なくとも１つの窓において受け取られる太陽放射照度の前記推定された量に応じて、前記少なくとも１つの窓の色合いを制御するように構成される、請求項２１に記載の装置。
【手続補正２】
【補正対象書類名】明細書
【補正対象項目名】０１０７
【補正方法】変更
【補正の内容】
【０１０７】
ステップ６３０で、予測制御ロジックは、モジュールＡ、Ｂ、およびＣにおけるアルゴリズムを解除し、何らかの他の考慮事項に基づいて、ステップ６４０でオーバーライド色合いレベルを定義する、特定の種類のオーバーライドを可能にする。１つの種類のオーバーライドが、マニュアルオーバーライドである。これは、部屋を占有しているエンドユーザーによって実施されるオーバーライドで、特定の色合いレベル（オーバーライド値）が望ましいと判断する。ユーザーのマニュアルオーバーライド自体がオーバーライドされる状況があり得る。オーバーライドの一例が高需要（またはピーク負荷）オーバーライドで、これは、建物内のエネルギー消費を削減するというユーティリティの要件と関連付けられている。例えば、大都市圏の特に暑い日には、自治体のエネルギー生成および流通システムに過度に重い負担をかけないように、自治体全体のエネルギー消費を削減する必要がある場合がある。そのような場合、建物は、すべての窓が特に高レベルの色合いを有することを確実にするために、本明細書に記載の予測制御ロジックからの色合いレベルをオーバーライドすることができる。オーバーライドの別の例が、商業的オフィスビルにおいて週末の間に部屋に占有者がいない場合であり得る。これらの場合、建物は、占有者の快適さに関連する１つ以上のモジュールを解除してもよく、すべての窓は、寒冷な気候では高レベルの色合い、温暖な気候では低レベルの色合いを有してもよい。
【手続補正３】
【補正対象書類名】明細書
【補正対象項目名】０１５８
【補正方法】変更
【補正の内容】
【０１５８】
Ｖ．無線または有線通信
いくつかの実施形態では、本明細書に記載の窓コントローラは、窓コントローラと、センサーと、別個の通信ノードとの間の有線または無線通信のための構成要素を含む。無線または有線通信は、窓コントローラと直接インターフェースを取る通信インターフェースを用いて達成され得る。そのようなインターフェースは、マイクロプロセッサに固有であっても、これらの機能を可能にする追加の回路を介して提供されてもよい。
【手続補正４】
【補正対象書類名】明細書
【補正対象項目名】０２５３
【補正方法】変更
【補正の内容】
【０２５３】
また、本開示の範囲から逸脱することなく、上述のシステム（例えば、図１７に関して説明されたシステム）またはシステムの構成要素に対して修正、追加、もしくは省略を行うことができる。そのシステムの構成要素は、特定のニーズに応じて統合または分離されてもよい。例えば、マスターネットワークコントローラ１４０３と中間ネットワークコントローラ１４０５とは単一の窓コントローラに統合されてもよい。さらに、システムの動作は、より多い構成要素、より少ない構成要素、または他の構成要素によって実行されてもよい。さらに、システムの動作は、ソフトウェア、ハードウェア、他のロジック、またはこれらの任意の好適な組合せを含む任意の好適なロジックを使用して実行されてもよい。